(57)【特許請求の範囲】
【請求項１】
マルチ画面全体の画面データをマルチ送信するマルチ送信手段と、マルチ画面を構成する複数のディスプレイのうち、自己が接続されているディスプレイに対応する画面データを上記マルチ送信手段により送信された画面データの中から選択し、その選択した画面データにしたがって当該ディスプレイに画面を表示する複数の画面表示装置とを備えた大画面表示システムにおいて、上記複数の画面表示装置を監視して、障害が発生している画面表示装置を検知する障害検知手段と、上記障害検知手段により障害が発生している画面表示装置が検知されると、その画面表示装置をディスプレイから切り離し、予備の画面表示装置をディスプレイに接続する接続管理手段とを設け、
上記複数のディスプレイは、１の入力端子と、他の入力端子とを備え、
上記複数の画面表示装置のうちの第１の画面表示装置は、上記自己が接続されている第２のディスプレイにおける上記１の入力端子に接続している１の出力端子と、上記複数のディスプレイのうち上記自己が接続されているディスプレイ以外の第１のディスプレイにおける上記他の入力端子に接続している他の出力端子とを備え、
他の出力端子が上記第２のディスプレイの他の入力端子に接続されている第２の画面表示装置は、その１の出力端子が上記第１のディスプレイ及び第２のディスプレイ以外の第３のディスプレイにおける１の入力端子と接続し、
上記接続管理手段は、上記障害検知手段により障害の発生が検知された画面表示装置に接続しているディスプレイに対して、上記他の入力端子から上記画面データを入力させるように管理する
ことを特徴とする大画面表示システム。
【請求項２】
障害検知手段により障害の発生が検知された画面表示装置の再起動を実施する再起動手段を設けたことを特徴とする請求項１記載の大画面表示システム。
【請求項３】
再起動手段は、最初に画面表示装置における画面表示アプリの再起動を試み、その画面表示アプリの再起動が成功しなければ、その画面表示装置におけるオペレーティングシステムの再起動を試み、そのオペレーティングシステムの再起動も成功しなければ、その画面表示装置に供給している電源を一旦停止してから、電源を再供給することを特徴とする請求項２記載の大画面表示システム。
【請求項４】
マルチ画面全体の画面データをマルチ送信するマルチ送信手段と、マルチ画面を構成する複数のディスプレイのうち、自己が接続されているディスプレイに対応する画面データを上記マルチ送信手段により送信された画面データの中から選択し、その選択した画面データにしたがって当該ディスプレイに画面を表示する複数の画面表示装置とを備えた大画面表示システムにおいて、上記複数の画面表示装置を監視して、障害が発生している画面表示装置を検知する障害検知手段と、上記障害検知手段により障害が発生している画面表示装置が検知されると、その画面表示装置の再起動を実施する再起動手段とを設け、
上記複数のディスプレイは、１の入力端子と、他の入力端子とを備え、
上記複数の画面表示装置のうちの第１の画面表示装置は、上記自己が接続されている第２のディスプレイにおける上記１の入力端子に接続している１の出力端子と、上記複数のディスプレイのうち上記自己が接続されているディスプレイ以外の第１のディスプレイにおける上記他の入力端子に接続している他の出力端子とを備え、
他の出力端子が上記第２のディスプレイの他の入力端子に接続されている第２の画面表示装置は、その１の出力端子が上記第１のディスプレイ及び第２のディスプレイ以外の第３のディスプレイにおける１の入力端子と接続し、
上記再起動手段による画面表示装置の再起動が成功しなければ、当該画面表示装置に接続しているディスプレイに対して、上記他の入力端子から上記画面データを入力させることによりその画面表示装置をディスプレイから切り離し、予備の画面表示装置をディスプレイに接続する接続管理手段を設けたことを特徴とする大画面表示システム。
【請求項５】
再起動手段は、最初に画面表示装置における画面表示アプリの再起動を試み、その画面表示アプリの再起動が成功しなければ、その画面表示装置におけるオペレーティングシステムの再起動を試み、そのオペレーティングシステムの再起動も成功しなければ、その画面表示装置に供給している電源を一旦停止してから、電源を再供給することを特徴とする請求項４記載の大画面表示システム。
【請求項６】
再起動手段は、画面表示装置における画面表示アプリの再起動を実施している間、その画面表示装置に搭載されている他の画面表示アプリに画面の表示処理を実行させることを特徴とする請求項５記載の大画面表示システム。
【請求項７】
マルチ画面全体の画面データをマルチ送信するマルチ送信手段と、マルチ画面を構成する複数のディスプレイのうち、自己が接続されているディスプレイに対応する画面データを上記マルチ送信手段により送信された画面データの中から選択し、その選択した画面データにしたがって当該ディスプレイに画面を表示する複数の画面表示装置とを備えた大画面表示システムにおいて、上記複数の画面表示装置を監視して、障害が発生している画面表示装置を検知する障害検知手段と、上記障害検知手段により障害が発生している画面表示装置が検知されると、その画面表示装置における現在表示処理中の画面表示アプリの代わりに、その画面表示装置に搭載されている他の画面表示アプリに画面の表示処理を実行させるアプリ管理手段とを設け、
上記複数のディスプレイは、１の入力端子と、他の入力端子とを備え、
上記複数の画面表示装置のうち第１の画面表示装置は、上記自己が接続されている第２のディスプレイにおける上記１の入力端子に接続している１の出力端子と、上記複数のディスプレイのうち上記自己が接続されているディスプレイ以外の第１のディスプレイにおける上記他の入力端子に接続している他の出力端子とを備え、
他の出力端子が上記第２のディスプレイの他の入力端子に接続されている第２の画面表示装置は、その１の出力端子が上記第１のディスプレイ及び第２のディスプレイ以外の第３のディスプレイにおける１の入力端子と接続し、
上記アプリ管理手段による他の画面表示アプリの画面表示処理が成功しなければ、当該画面表示装置に接続しているディスプレイに対して、上記他の入力端子から上記画面データを入力させることによりその画面表示装置をディスプレイから切り離し、予備の画面表示装置をディスプレイに接続する接続管理手段を設けたことを特徴とする大画面表示システム。
【発明の詳細な説明】
【技術分野】
【０００１】
この発明は、マルチ画面を構成する複数のディスプレイに画面を表示する大画面表示システムに関するものである。
【背景技術】
【０００２】
従来の大画面表示システムは、マルチ画面を構成するＮ台のディスプレイと、ディスプレイに画面を表示するＮ台の画面表示装置とを備えており、Ｎ台の画面表示装置がマルチ画面全体の画面データを受信すると、自己が接続されているディスプレイに対応する画面データをマルチ画面全体の画面データの中から選択し、その選択した画面データにしたがってディスプレイに画面を表示する（例えば、特許文献１参照）。
【０００３】
【特許文献１】特公平２−６１７５９号公報（第５頁から第６頁、図１）
【発明の開示】
【発明が解決しようとする課題】
【０００４】
従来の大画面表示システムは以上のように構成されているので、Ｎ台の画面表示装置が正常に動作している間はマルチ画面を表示することができる。しかし、いずれかの画面表示装置に障害が発生すると、その画面表示装置と接続されているディスプレイには意図する画面が表示されなくなり、正常なマルチ画面の表示を継続することができなくなるなどの課題があった。
【０００５】
この発明は上記のような課題を解決するためになされたもので、いずれかの画面表示装置に障害が発生しても、正常なマルチ画面の表示を継続することができる大画面表示システムを得ることを目的とする。
【課題を解決するための手段】
【０００６】
この発明に係る大画面表示システムは、複数の画面表示装置を監視して、障害が発生している画面表示装置を検知する障害検知手段と、障害検知手段により障害が発生している画面表示装置が検知されると、その画面表示装置をディスプレイから切り離し、予備の画面表示装置をディスプレイに接続する接続管理手段とを設け、複数のディスプレイは、１の入力端子と、他の入力端子とを備え、複数の画面表示装置のうちの第１の画面表示装置は、自己が接続されている第２のディスプレイにおける１の入力端子に接続している１の出力端子と、複数のディスプレイのうち自己が接続されているディスプレイ以外の第１のディスプレイにおける他の入力端子に接続している他の出力端子とを備え、他の出力端子が第２のディスプレイの他の入力端子に接続されている第２の画面表示装置は、その１の出力端子が第１のディスプレイ及び第２のディスプレイ以外の第３のディスプレイにおける１の入力端子と接続し、接続管理手段は、障害検知手段により障害の発生が検知された画面表示装置に接続しているディスプレイに対して、他の入力端子から画面データを入力させるように管理するようにしたものである。
【発明の効果】
【０００７】
この発明によれば、複数の画面表示装置を監視して、障害が発生している画面表示装置を検知する障害検知手段と、障害検知手段により障害が発生している画面表示装置が検知されると、その画面表示装置をディスプレイから切り離し、予備の画面表示装置をディスプレイに接続する接続管理手段とを設け、複数のディスプレイは、１の入力端子と、他の入力端子とを備え、複数の画面表示装置のうちの第１の画面表示装置は、自己が接続されている第２のディスプレイにおける１の入力端子に接続している１の出力端子と、複数のディスプレイのうち自己が接続されているディスプレイ以外の第１のディスプレイにおける他の入力端子に接続している他の出力端子とを備え、他の出力端子が第２のディスプレイの他の入力端子に接続されている第２の画面表示装置は、その１の出力端子が第１のディスプレイ及び第２のディスプレイ以外の第３のディスプレイにおける１の入力端子と接続し、接続管理手段は、障害検知手段により障害の発生が検知された画面表示装置に接続しているディスプレイに対して、他の入力端子から画面データを入力させるように管理するように構成したので、いずれかの画面表示装置に障害が発生しても、正常なマルチ画面の表示を継続することができる効果がある。
【発明を実施するための最良の形態】
【０００８】
実施の形態１．
図１はこの発明の実施の形態１による大画面表示システムを示す構成図である。また、図２は大画面表示システムのディスプレイを示す構成図であり、図３は大画面表示システムのサブＰＣを示す構成図であり、図４は大画面表示システムのメインＰＣを示す構成図である。
図において、ディスプレイ１〜４はマルチ画面の一部を構成し、４台のディスプレイ１〜４の画面から１つのマルチ画面が構成される。この例では、４台のディスプレイ１〜４を設置しているが、複数台であれば４台に限るものでないことは言うまでもない。
ディスプレイ１〜４の入力切換器１１は入力端子＃１又は入力端子＃２のいずれか一方を表示処理部１２に接続する。表示処理部１２はディスプレイ１〜４の本体であり、サブＰＣ２３〜２７から出力される描画命令にしたがって画面を表示する部分である。
【０００９】
表示制御装置であるメインＰＣ２１は例えばパーソナルコンピュータで構成され、マルチ画面全体の画面データを生成するとともに、サブＰＣ２３〜２７とディスプレイ１〜４間の接続の切換処理等を実施する。マルチキャスタ２２はメインＰＣ２１により生成されたマルチ画面全体の画面データをサブＰＣ２３〜２７にマルチ配信する。
画面表示装置であるサブＰＣ２３〜２７は例えばパーソナルコンピュータで構成され、自己が接続されているディスプレイ１〜４に対応する画面データをマルチキャスタ２２によりマルチ送信されたマルチ画面全体の画面データの中から選択し、その選択した画面データにしたがって当該ディスプレイに画面を表示する。この例では、５台のサブＰＣ２３〜２７を設置し、１台のサブＰＣを予備として利用するが、サブＰＣはディスプレイより少なくとも１台以上多く設置する必要がある。
【００１０】
メインＰＣ２１の画面データ生成アプリ３１はマルチ画面全体の画面データを生成し、その画面データをマルチキャスタ２２に送信する処理を実施する。なお、画面データ生成アプリ３１及びマルチキャスタ２２からマルチ送信手段が構成されている。
サブＰＣ２３〜２７のＯＳ４１はオペレーティングシステムであり、メインＰＣ２１から起動指令を受けると起動して、画面表示アプリ４２や監視アプリ４３を起動する。サブＰＣ２３〜２７の画面表示アプリ４２はマルチキャスタ２２によりマルチ送信されたマルチ画面全体の画面データの中から自己が接続されているディスプレイ１〜４に対応する画面データを選択し、その選択した画面データにしたがって当該ディスプレイに画面を表示する処理を実施する。なお、画面表示アプリ４２はメインＰＣ２１の指示の下、出力端子＃１又は出力端子＃２のいずれか一方から描画命令をディスプレイ１〜４に出力することにより、ディスプレイ１〜４に画面を表示する。
【００１１】
サブＰＣ２３〜２７の監視アプリ４３は画面表示アプリ４２の状態を監視し、その画面表示アプリ４２に障害が発生していることを検知すると、障害が発生している旨をメインＰＣ２１に通知する。なお、監視アプリ４３は障害検知手段を構成している。
メインＰＣ２１の接続管理アプリ３２はいずれかのサブＰＣの監視アプリ４３から障害発生通知を受けると、そのサブＰＣをディスプレイから切り離し、予備のサブＰＣをディスプレイに接続する接続管理手段を構成している。
【００１２】
ここでは、画面データ生成アプリ３１及び接続管理アプリ３２がメインＰＣ２１に実装され、メインＰＣ２１の図示せぬＣＰＵが画面データ生成アプリ３１及び接続管理アプリ３２を実行するものについて説明するが、画面データ生成アプリ３１及び接続管理アプリ３２の処理内容を実行する専用のハードウェア（例えば、ＩＣ集積回路等からなるスロット基板）をメインＰＣ２１に実装するようにしてもよい。
また、ここでは、画面表示アプリ４２及び監視アプリ４３がサブＰＣ２３〜２７に実装され、サブＰＣ２３〜２７の図示せぬＣＰＵが画面表示アプリ４２及び監視アプリ４３を実行するものについて説明するが、画面表示アプリ４２及び監視アプリ４３の処理内容を実行する専用のハードウェア（例えば、ＩＣ集積回路等からなるスロット基板）をサブＰＣ２３〜２７に実装するようにしてもよい。
【００１３】
次に動作について説明する。
この実施の形態１では、説明の便宜上、サブＰＣ２３〜２７とディスプレイ１〜４間の物理的な接続関係は下記の通りであり、メインＰＣ２１の接続管理アプリ３２が予め物理的な接続関係を記憶しているものとする。
・サブＰＣ２３の出力端子＃１  →  ディスプレイ１の入力端子＃１
・サブＰＣ２４の出力端子＃１  →  ディスプレイ２の入力端子＃１
・サブＰＣ２５の出力端子＃１  →  ディスプレイ３の入力端子＃１
・サブＰＣ２６の出力端子＃１  →  ディスプレイ４の入力端子＃１
・サブＰＣ２４の出力端子＃２  →  ディスプレイ１の入力端子＃２
・サブＰＣ２５の出力端子＃２  →  ディスプレイ２の入力端子＃２
・サブＰＣ２６の出力端子＃２  →  ディスプレイ３の入力端子＃２
・サブＰＣ２７の出力端子＃２  →  ディスプレイ４の入力端子＃２
【００１４】
まず、メインＰＣ２１は、以下に示す初期設定を実施する。
メインＰＣ２１の接続管理アプリ３２は、サブＰＣ２３〜２７のいずれにも障害が発生していない初期状態では、例えば、サブＰＣ２３〜２６を利用してマルチ画面を表示するように設定されている場合（サブＰＣ２７を予備とする）、ディスプレイ１〜４の入力切換器１１に対して、表示処理部１２の接続先を入力端子＃１に設定させる接続先指定命令を出力する。
これにより、ディスプレイ１〜４の入力切換器１１は、表示処理部１２の接続先を入力端子＃１に設定する。
【００１５】
また、メインＰＣ２１の接続管理アプリ３２は、サブＰＣ２３〜２７のＯＳ４１に起動命令を出力し、ＯＳ４１が画面表示アプリ４２や監視アプリ４３を起動すると、サブＰＣ２３〜２６の画面表示アプリ４２に対して、描画命令の出力先を出力端子＃１に設定させる出力先指定命令を出力する。サブＰＣ２７は予備用であるため、サブＰＣ２７の画面表示アプリ４２に対して出力先指定命令を出力しないが、サブＰＣ２３〜２６に障害が発生したとき、サブＰＣ２７の画面表示アプリ４２が直ちに表示処理を開始できるようにするため、サブＰＣ２７の画面表示アプリ４２も起動させている。
また、メインＰＣ２１の接続管理アプリ３２は、サブＰＣ２３〜２６に対応するディスプレイの表示領域をサブＰＣ２３〜２６の画面表示アプリ４２に通知する。
例えば、ＰＣ２３の画面表示アプリ４２にはマルチ画面の左上領域が表示領域である旨を通知し、ＰＣ２４の画面表示アプリ４２にはマルチ画面の右上領域が表示領域である旨を通知し、ＰＣ２５の画面表示アプリ４２にはマルチ画面の左下領域が表示領域である旨を通知し、ＰＣ２６の画面表示アプリ４２にはマルチ画面の右下領域が表示領域である旨を通知する。
【００１６】
メインＰＣ２１の画面データ生成アプリ３１は、上記の初期設定が完了すると、マルチ画面全体の画面データを生成し、その画面データをマルチキャスタ２２に送信する。
マルチキャスタ２２は、メインＰＣ２１により生成されたマルチ画面全体の画面データを受信すると、その画面データをサブＰＣ２３〜２６にマルチ配信する。
【００１７】
サブＰＣ２３〜２６の画面表示アプリ４２は、マルチキャスタ２２によりマルチ送信されたマルチ画面全体の画面データを受信すると、マルチ画面全体の画面データの中から自己が接続されているディスプレイ１〜４に対応する画面データを選択する。
即ち、メインＰＣ２１の接続管理アプリ３２から初期設定時に通知された対応するディスプレイの表示領域に見合う画面データを選択する。
例えば、ＰＣ２３の画面表示アプリ４２はマルチ画面の左上領域の画面データを選択し、ＰＣ２４の画面表示アプリ４２はマルチ画面の右上領域の画面データを選択し、ＰＣ２５の画面表示アプリ４２はマルチ画面の左下領域の画面データを選択し、ＰＣ２６の画面表示アプリ４２はマルチ画面の右下領域の画面データを選択する。
【００１８】
サブＰＣ２３〜２６の画面表示アプリ４２は、マルチ画面全体の画面データの中から自己が接続されているディスプレイ１〜４に対応する画面データを選択すると、メインＰＣ２１の接続管理アプリ３２から初期設定時に、描画命令の出力先を出力端子＃１に設定させる出力先指定命令を受けているので、その選択した画面データにしたがって画面の描画命令を出力端子＃１に出力する。
これにより、ディスプレイ１〜４の表示処理部１２は、サブＰＣ２３〜２６の出力端子＃１から出力された描画命令を入力端子＃１及び入力切換器１１を介して入力し、その描画命令にしたがって画面を表示する。
【００１９】
サブＰＣ２３〜２６の監視アプリ４３は、画面表示アプリ４２が表示処理を開始すると、逐次、画面表示アプリ４２の状態を監視し、その画面表示アプリ４２に障害が発生しているか否かを判定する。
監視アプリ４３は、例えば、画面表示アプリ４２のステータスフラグ（ステータスフラグは画面表示アプリ４２が現在実施している状態を表すものとする）を監視し、そのステータスフラグが一定期間変化しないような場合には、画面表示アプリ４２に障害が発生しているものと判断する。
また、監視アプリ４３が所定の応答返答要求信号を画面表示アプリ４２に送信し、その画面表示アプリ４２から一定期間経過しても、その応答返答要求信号に対する応答信号が返送されてこないような場合には、画面表示アプリ４２に障害が発生しているものと判断する。
【００２０】
サブＰＣ２３〜２６の監視アプリ４３は、画面表示アプリ４２に障害が発生していると判断すると、障害が発生している旨をメインＰＣ２１に通知する。
ここでは、説明の便宜上、サブＰＣ２５の画面表示アプリ４２に障害が発生し、サブＰＣ２５の画面表示アプリ４２からメインＰＣ２１に上記の障害発生通知があったものとする。
【００２１】
メインＰＣ２１の接続管理アプリ３２は、サブＰＣ２５の画面表示アプリ４２から上記の障害発生通知を受けると、そのサブＰＣ２５が接続されていたディスプレイ３の入力切換器１１に対して、表示処理部１２の接続先を入力端子＃１から入力端子＃２に切り換えさせる接続先指定命令を出力する。また、ディスプレイ４の入力切換器１１に対して、表示処理部１２の接続先を入力端子＃１から入力端子＃２に切り換えさせる接続先指定命令を出力する。
これにより、ディスプレイ３，４の入力切換器１１は、表示処理部１２の接続先を入力端子＃１から入力端子＃２に切り換える処理を実施する。
【００２２】
また、メインＰＣ２１の接続管理アプリ３２は、サブＰＣ２６，２７の画面表示アプリ４２に対して、描画命令の出力先を出力端子＃１から出力端子＃２に切り換えさせる出力先指定命令を出力する。
さらに、メインＰＣ２１の接続管理アプリ３２は、サブＰＣ２６，２７に対応するディスプレイの表示領域をサブＰＣ２６，２７の画面表示アプリ４２に通知する。
例えば、ＰＣ２６の画面表示アプリ４２にはマルチ画面の左下領域が表示領域である旨を通知し、ＰＣ２７の画面表示アプリ４２にはマルチ画面の右下領域が表示領域である旨を通知する。
【００２３】
以降、サブＰＣ２３，２４，２６，２７の画面表示アプリ４２は、上記と同様にして、マルチ画面全体の画面データを受信すると、マルチ画面全体の画面データの中から自己が接続されているディスプレイ１〜４に対応する画面データを選択し、その選択した画面データにしたがって描画命令を出力端子＃１又は出力端子＃２に出力する。即ち、サブＰＣ２３，２４の画面表示アプリ４２は、描画命令を出力端子＃１に出力し、サブＰＣ２６，２７の画面表示アプリ４２は、描画命令を出力端子＃２に出力する。
これにより、ディスプレイ１，２の表示処理部１２は、サブＰＣ２３，２４の出力端子＃１から出力された描画命令を入力端子＃１及び入力切換器１１を介して入力し、その描画命令にしたがって画面を表示する。また、ディスプレイ３，４の表示処理部１２は、サブＰＣ２６，２７の出力端子＃２から出力された描画命令を入力端子＃２及び入力切換器１１を介して入力し、その描画命令にしたがって画面を表示する。
【００２４】
以上で明らかなように、この実施の形態１によれば、サブＰＣ２３〜２６を監視して、障害が発生しているサブＰＣ２３〜２６を検知する監視アプリ４３を実装し、その監視アプリ４３により障害が発生しているサブＰＣ２５が検知されると、そのサブＰＣ２５をディスプレイから切り離し、予備のサブＰＣ２７をディスプレイに接続するように構成したので、いずれかのサブＰＣに障害が発生しても、正常なマルチ画面の表示を継続することができる効果を奏する。
【００２５】
また、この実施の形態１によれば、予備のサブＰＣ２７をディスプレイに接続する際、メインＰＣ２１の接続管理アプリ３２が監視アプリ４３により障害の発生が検知されていないサブＰＣ２３，２４，２６及び予備のサブＰＣ２７に対応するディスプレイ１〜４を決定し、対応関係のあるサブＰＣ２３，２４，２６，２７とディスプレイ１〜４を接続する接続切換処理を実施するように構成したので、特別な切換装置を設置することなく、複数のサブＰＣと複数のディスプレイ間の接続を切り換えることができる効果を奏する。
【００２６】
実施の形態２．
上記実施の形態１では、各サブＰＣ２３〜２７に監視アプリ４３を搭載し、その監視アプリ４３が画面表示アプリ４２の状態を監視するものについて示したが、図５に示すように、メインＰＣ２１に監視アプリ４３を搭載し、その監視アプリ４３がサブＰＣ２３〜２７の画面表示アプリ４２の状態を監視するようにしてもよく、上記実施の形態１と同様の効果を奏することができる。
【００２７】
実施の形態３．
図６はこの発明の実施の形態３による大画面表示システムを示す構成図であり、図において、図１と同一符号は同一または相当部分を示すので説明を省略する。
マルチプレクサ２８はメインＰＣ２１の接続管理アプリ３２の指示の下、障害の発生が検知されたサブＰＣに接続されていたディスプレイと予備のサブＰＣを接続する処理を実施する。
【００２８】
上記実施の形態１では、予備のサブＰＣ２７をディスプレイに接続する際、メインＰＣ２１の接続管理アプリ３２が監視アプリ４３により障害の発生が検知されていないサブＰＣ２３，２４，２６及び予備のサブＰＣ２７に対応するディスプレイ１〜４を決定し、対応関係のあるサブＰＣ２３，２４，２６，２７とディスプレイ１〜４を接続する接続切換処理を実施するものについて示したが、マルチプレクサ２８がメインＰＣ２１の接続管理アプリ３２の指示の下、障害の発生が検知されたサブＰＣ２５に接続されていたディスプレイ３と予備のサブＰＣ２７を接続するようにしてもよい。
【００２９】
具体的には次の通りである。
この実施の形態３では、サブＰＣ２３〜２７とディスプレイ１〜４間の物理的な接続関係は下記の通りであるものとする。
・サブＰＣ２３の出力端子＃１  →  ディスプレイ１の入力端子＃１
・サブＰＣ２４の出力端子＃１  →  ディスプレイ２の入力端子＃１
・サブＰＣ２５の出力端子＃１  →  ディスプレイ３の入力端子＃１
・サブＰＣ２６の出力端子＃１  →  ディスプレイ４の入力端子＃１
・サブＰＣ２７の出力端子＃１  →  マルチプレクサ２８
・マルチプレクサ２８          →  ディスプレイ１〜４の入力端子＃２
【００３０】
まず、メインＰＣ２１は、以下に示す初期設定を実施する。
メインＰＣ２１の接続管理アプリ３２は、サブＰＣ２３〜２７のいずれにも障害が発生していない初期状態では、ディスプレイ１〜４の入力切換器１１に対して、表示処理部１２の接続先を入力端子＃１に設定させる接続先指定命令を出力する。
これにより、ディスプレイ１〜４の入力切換器１１は、表示処理部１２の接続先を入力端子＃１に設定する。
【００３１】
メインＰＣ２１の接続管理アプリ３２は、サブＰＣ２３〜２７のＯＳ４１に起動命令を出力し、ＯＳ４１が画面表示アプリ４２や監視アプリ４３を起動すると、サブＰＣ２３〜２６の画面表示アプリ４２に対して、自己が接続されているディスプレイの表示領域を通知する。
例えば、ＰＣ２３の画面表示アプリ４２にはマルチ画面の左上領域が表示領域である旨を通知し、ＰＣ２４の画面表示アプリ４２にはマルチ画面の右上領域が表示領域である旨を通知し、ＰＣ２５の画面表示アプリ４２にはマルチ画面の左下領域が表示領域である旨を通知し、ＰＣ２６の画面表示アプリ４２にはマルチ画面の右下領域が表示領域である旨を通知する。
【００３２】
メインＰＣ２１の画面データ生成アプリ３１は、上記の初期設定が完了すると、マルチ画面全体の画面データを生成し、その画面データをマルチキャスタ２２に送信する。
マルチキャスタ２２は、メインＰＣ２１により生成されたマルチ画面全体の画面データを受信すると、その画面データをサブＰＣ２３〜２６にマルチ配信する。
【００３３】
サブＰＣ２３〜２６の画面表示アプリ４２は、マルチキャスタ２２によりマルチ送信されたマルチ画面全体の画面データを受信すると、マルチ画面全体の画面データの中から自己が接続されているディスプレイ１〜４に対応する画面データを選択する。
即ち、メインＰＣ２１の接続管理アプリ３２から初期設定時に通知された対応するディスプレイの表示領域に見合う画面データを選択する。
例えば、ＰＣ２３の画面表示アプリ４２はマルチ画面の左上領域の画面データを選択し、ＰＣ２４の画面表示アプリ４２はマルチ画面の右上領域の画面データを選択し、ＰＣ２５の画面表示アプリ４２はマルチ画面の左下領域の画面データを選択し、ＰＣ２６の画面表示アプリ４２はマルチ画面の右下領域の画面データを選択する。
【００３４】
サブＰＣ２３〜２６の画面表示アプリ４２は、マルチ画面全体の画面データの中から自己が接続されているディスプレイ１〜４に対応する画面データを選択すると、その選択した画面データにしたがって描画命令を出力端子＃１に出力する。
これにより、ディスプレイ１〜４の表示処理部１２は、サブＰＣ２３〜２６の出力端子＃１から出力された描画命令を入力端子＃１及び入力切換器１１を介して入力し、その描画命令にしたがって画面を表示する。
【００３５】
サブＰＣ２３〜２６の監視アプリ４３は、画面表示アプリ４２が表示処理を開始すると、逐次、画面表示アプリ４２の状態を監視し、その画面表示アプリ４２に障害が発生しているか否かを判定する。
監視アプリ４３は、例えば、画面表示アプリ４２のステータスフラグ（ステータスフラグは画面表示アプリ４２が現在実施している状態を表すものとする）を監視し、そのステータスフラグが一定期間変化しないような場合には、画面表示アプリ４２に障害が発生しているものと判断する。
また、監視アプリ４３が所定の応答返答要求信号を画面表示アプリ４２に送信し、その画面表示アプリ４２から一定期間経過しても、その応答返答要求信号に対する応答信号が返送されてこないような場合には、画面表示アプリ４２に障害が発生しているものと判断する。
【００３６】
サブＰＣ２３〜２６の監視アプリ４３は、画面表示アプリ４２に障害が発生していると判断すると、障害が発生している旨をメインＰＣ２１に通知する。
ここでは、説明の便宜上、サブＰＣ２５の画面表示アプリ４２に障害が発生し、サブＰＣ２５の画面表示アプリ４２からメインＰＣ２１に上記の障害発生通知があったものとする。
【００３７】
メインＰＣ２１の接続管理アプリ３２は、サブＰＣ２５の画面表示アプリ４２から上記の障害発生通知を受けると、そのサブＰＣ２５が接続されていたディスプレイ３の入力切換器１１に対して、表示処理部１２の接続先を入力端子＃１から入力端子＃２に切り換えさせる接続先指定命令を出力する。また、マルチプレクサ２８に対して、予備のサブＰＣ２７の接続先をディスプレイ３に設定させる接続先指定命令を出力する。
これにより、ディスプレイ３の入力切換器１１は、表示処理部１２の接続先を入力端子＃１から入力端子＃２に切り換える処理を実施し、マルチプレクサ２８は、予備のサブＰＣ２７の接続先をディスプレイ３に設定する処理を実施する。
【００３８】
また、メインＰＣ２１の接続管理アプリ３２は、予備のサブＰＣ２７に対応するディスプレイ３の表示領域をサブＰＣ２７の画面表示アプリ４２に通知する。
即ち、ＰＣ２７の画面表示アプリ４２にはマルチ画面の左下領域が表示領域である旨を通知する（障害が発生したＰＣ２５の画面表示アプリ４２が担当していた表示領域と同じ表示領域を通知する）。
【００３９】
以降、サブＰＣ２３，２４，２６の画面表示アプリ４２は、上記と同様にして、マルチ画面全体の画面データを受信すると、マルチ画面全体の画面データの中から自己が接続されているディスプレイ１，２，４に対応する画面データを選択し、その選択した画面データにしたがって描画命令を出力端子＃１に出力する。
また、予備のサブＰＣ２７の画面表示アプリ４２は、マルチ画面全体の画面データを受信すると、マルチ画面全体の画面データの中から自己が接続されているディスプレイ３に対応する画面データを選択し、その選択した画面データにしたがって描画命令を出力端子＃１に出力する。
これにより、ディスプレイ１，２，４の表示処理部１２は、サブＰＣ２３，２４，２６の出力端子＃１から出力された描画命令を入力端子＃１及び入力切換器１１を介して入力し、その描画命令にしたがって画面を表示する。
また、ディスプレイ３の表示処理部１２は、予備のサブＰＣ２７の出力端子＃１から出力された描画命令をマルチプレクサ２８、入力端子＃２及び入力切換器１１を介して入力し、その描画命令にしたがって画面を表示する。
【００４０】
以上で明らかなように、この実施の形態３によれば、マルチプレクサ２８がメインＰＣ２１の接続管理アプリ３２の指示の下、障害の発生が検知されたサブＰＣ２５に接続されていたディスプレイ３と予備のサブＰＣ２７を接続する処理を実施するように構成したので、障害の発生が検知されていないサブＰＣ２３，２４，２６に対応するディスプレイを変更することなく、正常なマルチ画面の表示を継続することができる効果を奏する。
【００４１】
実施の形態４．
図７はこの発明の実施の形態４による大画面表示システムのメインＰＣを示す構成図であり、図において、図４と同一符号は同一または相当部分を示すので説明を省略する。
メインＰＣ２１の再起動アプリ３３は監視アプリ４３により障害の発生が検知されたサブＰＣの再起動を実施する再起動手段を構成している。
ここでは、再起動アプリ３３がメインＰＣ２１に実装され、メインＰＣ２１の図示せぬＣＰＵが再起動アプリ３３を実行するものについて説明するが、再起動アプリ３３の処理内容を実行する専用のハードウェア（例えば、ＩＣ集積回路等からなるスロット基板）をメインＰＣ２１に実装するようにしてもよい。
【００４２】
上記実施の形態１〜３では、メインＰＣ２１の接続管理アプリ３２が、いずれかのサブＰＣ２３〜２６の監視アプリ４３から障害発生通知を受けると、そのサブＰＣをディスプレイから切り離し、予備のサブＰＣ２７をディスプレイに接続するものについて示したが、メインＰＣ２１の再起動アプリ３３が、ディスプレイから切り離されたサブＰＣの再起動を実施するようにしてもよい。その障害が発生したサブＰＣの再起動が成功すれば、以降、そのサブＰＣを予備のサブＰＣとして待機させることができる。
具体的には、下記のようにして、障害が発生したサブＰＣの再起動を実施する。
【００４３】
メインＰＣ２１の再起動アプリ３３は、例えば、サブＰＣ２５の監視アプリ４３から障害発生通知を受けると、サブＰＣ２５のＯＳ４１に対して画面表示アプリ４２の再起動を指示し、ＯＳ４１が画面表示アプリ４２の再起動を試みる。
サブＰＣ２５のＯＳ４１は、その画面表示アプリ４２の再起動を成功させることができれば、その旨をメインＰＣ２１の再起動アプリ３３に通知する。
【００４４】
メインＰＣ２１の再起動アプリ３３は、サブＰＣ２５のＯＳ４１に対して画面表示アプリ４２の再起動を指示してから一定期間を経過する前に、ＯＳ４１から再起動の成功を示す通知を受けることができれば、再起動処理を終了する。
しかし、一定期間を経過する前に、ＯＳ４１から再起動の成功を示す通知を受けることができなければ、ＯＳ４１自体に障害が発生している可能性があるので、ＯＳ４１の再起動を試みる。
【００４５】
メインＰＣ２１の再起動アプリ３３は、サブＰＣ２５のＯＳ４１の状態を監視し、ＯＳ４１の再起動が成功すれば、再起動処理を終了する。
しかし、ＯＳ４１の再起動が成功しなければ、サブＰＣ２５に供給している電源を一旦停止してから、電源を再供給することにより、メインＰＣ２１の再起動を試みるようにする。
【００４６】
以上で明らかなように、この実施の形態４によれば、メインＰＣ２１の再起動アプリ３３が監視アプリ４３により障害の発生が検知されたサブＰＣの再起動を実施するように構成したので、その障害の発生が検知されたサブＰＣを予備のサブＰＣとして待機させることができる効果を奏する。
【００４７】
また、この実施の形態４によれば、最初に障害の発生が検知されたサブＰＣにおける画面表示アプリ４２の再起動を試み、その画面表示アプリ４２の再起動が成功しなければ、そのサブＰＣにおけるＯＳ４１の再起動を試み、そのＯＳ４１の再起動も成功しなければ、そのサブＰＣに供給している電源を一旦停止してから、電源を再供給するように構成したので、サブＰＣの復旧時間を早めることができる効果を奏する。
【００４８】
実施の形態５．
上記実施の形態４では、ディスプレイから切り離されたサブＰＣの再起動を実施するものについて示したが、メインＰＣ２１の再起動アプリ３３が、いずれかのサブＰＣ２３〜２６の監視アプリ４３から障害発生通知を受けると、そのサブＰＣの再起動を実施し、そのサブＰＣの再起動が成功しなければ、メインＰＣ２１の接続管理アプリ３２が、上記実施の形態１〜３と同様にして、そのサブＰＣをディスプレイから切り離し、予備のサブＰＣ２７をディスプレイに接続するようにしてもよい。
この実施の形態５によれば、早い段階でサブＰＣの再起動が成功すれば、上記実施の形態１〜３のような接続切換処理を実施する場合よりも、早期にマルチ画面の表示を復帰させることができる効果を奏する。
【００４９】
なお、メインＰＣ２１の再起動アプリ３３は、図８に示すように、サブＰＣが画面表示アプリ４２の他に画面表示アプリ４２ａを実装している場合、サブＰＣの画面表示アプリ４２の再起動を実施している間、その画面表示アプリ４２ａに画面の表示処理を実行させるようにしてもよい。
これにより、サブＰＣの画面表示アプリ４２の再起動を実施している間、画面表示アプリ４２ａが所定の画面（例えば、時計、天気情報など）をディスプレイに表示することができる効果を奏する。
【００５０】
実施の形態６．
上記実施の形態５では、サブＰＣが画面表示アプリ４２の他に画面表示アプリ４２ａを実装している場合、メインＰＣ２１の再起動アプリ３３がサブＰＣの画面表示アプリ４２の再起動を実施している間、その画面表示アプリ４２ａに画面の表示処理を実行させるものについて示したが、メインＰＣ２１の再起動アプリ３３がサブＰＣの画面表示アプリ４２の再起動を実施することなく、メインＰＣ２１の画面データ生成アプリ３１（アプリ管理手段）が、その画面表示アプリ４２ａに画面の表示処理を実行させるようにしてもよい。
【００５１】
例えば、画面表示アプリ４２ａが画面表示アプリ４２と同様の表示処理を実施することができる予備のアプリであれば、必ずしも画面表示アプリ４２を再起動しなくても、正常なマルチ画面の表示を継続することができる効果を奏する。
また、画面表示アプリ４２ａが所定の画面（例えば、時計、天気情報など）をディスプレイに表示しても、違和感のないマルチ画面を表示することができる効果を奏する。
【００５２】
実施の形態７．
上記実施の形態１〜６では、特に言及していないが、初期設定時において、全てのサブＰＣ２３〜２７の立ち上げが完了してから、ディスプレイ１〜４に電源を供給するようにしてもよい。
これにより、サブＰＣ２３〜２７の立ち上げ中の画面がディスプレイ１〜４に表示される状況を回避することができる効果を奏する。
【図面の簡単な説明】
【００５３】
【図１】この発明の実施の形態１による大画面表示システムを示す構成図である。
【図２】大画面表示システムのディスプレイを示す構成図である。
【図３】大画面表示システムのサブＰＣを示す構成図である。
【図４】大画面表示システムのメインＰＣを示す構成図である。
【図５】この発明の実施の形態２による大画面表示システムのメインＰＣ及びサブＰＣを示す構成図である。
【図６】この発明の実施の形態３による大画面表示システムを示す構成図である。
【図７】この発明の実施の形態４による大画面表示システムのメインＰＣを示す構成図である。
【図８】この発明の実施の形態５による大画面表示システムを示す構成図である。
【符号の説明】
【００５４】
１〜４  ディスプレイ、１１  入力切換器、１２  表示処理部、２１  メインＰＣ、２２  マルチキャスタ（マルチ送信手段）、２３〜２７  サブＰＣ（画面表示装置）、２８  マルチプレクサ、３１  画面データ生成アプリ（マルチ送信手段、アプリ管理手段）、３２  接続管理アプリ（接続管理手段）、３３  再起動アプリ（再起動手段）、４１  ＯＳ（オペレーティングシステム）、４２  画面表示アプリ、４２ａ  画面表示アプリ、４３  監視アプリ（障害検知手段）。
【図１】
0004675567.tif 000002
【図２】
0004675567.tif 000003
【図３】
0004675567.tif 000004
【図４】
0004675567.tif 000005
【図５】
0004675567.tif 000006
【図６】
0004675567.tif 000007
【図７】
0004675567.tif 000008
【図８】
0004675567.tif 000009